Podtech/llm-jp-corpus-v4-ja_patent huggingface dataset:
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
複数の撮像装置が行う撮像により得られる複数の画像に基づいて、前記複数の撮像装置による撮像領域における被写体の位置を特定する特定手段と、
仮想視点の位置及び仮想視点からの視線方向を指定するための入力を受け付ける受付手段と、
前記特定手段により特定された前記撮像領域における被写体の位置を表すオブジェクトと、前記受付手段により受け付けられた入力に対応する、前記撮像領域における前記仮想視点の位置及び前記仮想視点からの視線方向を表すオブジェクトとを含む配置図を表示するための情報を出力する出力手段と
を有することを特徴とする情報処理装置。
【請求項２】
前記出力手段は、前記仮想視点の位置及び前記仮想視点からの視線方向に対応する仮想視点画像を表示するための情報をさらに出力することを特徴とする請求項１に記載の情報処理装置。
【請求項３】
前記特定手段は、前記複数の画像に基づいて生成される前記被写体の三次元形状を表す三次元形状データに基づいて、前記被写体の位置を特定することを特徴とする請求項１又は２に記載の情報処理装置。
【請求項４】
前記配置図における前記被写体の位置を表すオブジェクトの色は、前記被写体の色に応じて決定されることを特徴とする請求項１乃至３のいずれか１項に記載の情報処理装置。
【請求項５】
前記特定手段は、前記撮像領域における複数の被写体の位置を特定し、
前記配置図は、前記特定手段により特定された前記撮像領域における複数の被写体の位置を表す複数のオブジェクトを含む
ことを特徴とする請求項１乃至４のいずれか１項に記載の情報処理装置。
【請求項６】
前記複数の被写体は複数のグループに分類され、グループごとに異なる所定のオブジェクトにより被写体の位置が表されることを特徴とする請求項５に記載の情報処理装置。
【請求項７】
前記所定のオブジェクトは、色及びサイズの少なくともいずれかが前記グループごとに異なることを特徴とする請求項６に記載の情報処理装置。
【請求項８】
前記複数の被写体は、所属するチームに応じて、複数のグループに分類されることを特徴とする請求項６又は７に記載の情報処理装置。
【請求項９】
前記配置図における前記複数のオブジェクトは、互いに重ならないように配置されることを特徴とする請求項５乃至８のいずれか１項に記載の情報処理装置。
【請求項１０】
前記配置図におけるオブジェクトの色は、前記出力手段により出力される情報に基づいて前記配置図が表示される場合における表示領域の色に応じて変化することを特徴とする請求項１乃至９のいずれか１項に記載の情報処理装置。
【請求項１１】
前記出力手段により出力される情報に基づいて前記配置図が表示される場合における前記配置図の表示位置は、前記受付手段により受け付けられた前記仮想視点の位置及び前記仮想視点からの視線方向に対応する仮想視点画像の内容に応じて変化することを特徴とする請求項１乃至１０のいずれか１項に記載の情報処理装置。
【請求項１２】
前記配置図は、前記受付手段により受け付けられた前記仮想視点の位置及び前記仮想視点からの視線方向に対応する仮想視点画像と重なった状態で表示されることを特徴とする請求項１乃至１１のいずれか１項に記載の情報処理装置。
【請求項１３】
前記配置図は、球技におけるオフサイドラインを表すオブジェクトをさらに含むことを特徴とする請求項１乃至１２のいずれか１項に記載の情報処理装置。
【請求項１４】
前記配置図は、前記受付手段により受け付けられた前記仮想視点の位置及び前記仮想視点からの視線方向とは異なる位置及び方向から見た前記撮像領域に対応する図であることを特徴とする請求項１乃至１３のいずれか１項に記載の情報処理装置。
【請求項１５】
複数の撮像装置が行う撮像により得られる複数の画像に基づいて、前記複数の撮像装置による撮像領域における被写体の位置を特定する特定工程と、
仮想視点の位置及び仮想視点からの視線方向を決定する決定工程と、
前記特定工程において特定された前記撮像領域における被写体の位置を表すオブジェクトと、前記決定工程において決定された、前記撮像領域における前記仮想視点の位置及び前記仮想視点からの視線方向を表すオブジェクトとを含む配置図を表示する表示工程と
を有することを特徴とする情報処理方法。
【請求項１６】
コンピュータを、請求項１乃至１４のいずれか１項に記載の情報処理装置として機能させるためのプログラム。
【手続補正２】
【補正対象書類名】明細書
【補正対象項目名】０００５
【補正方法】変更
【補正の内容】
【０００５】
本発明の情報処理装置は、複数の撮像装置が行う撮像により得られる複数の画像に基づいて、前記複数の撮像装置による撮像領域における被写体の位置を特定する特定手段と、
仮想視点の位置及び仮想視点からの視線方向を指定するための入力を受け付ける受付手段と、前記特定手段により特定された前記撮像領域における被写体の位置を表すオブジェクトと、前記受付手段により受け付けられた入力に対応する、前記撮像領域における前記仮想視点の位置及び前記仮想視点からの視線方向を表すオブジェクトとを含む配置図を表示するための情報を出力する出力手段とを有することを特徴とする。
【手続補正書】
【提出日】令和3年3月24日(2021.3.24)
【手続補正１】
【補正対象書類名】明細書
【補正対象項目名】００２２
【補正方法】変更
【補正の内容】
【００２２】
本実施の形態のコネクタ２０は、ハウジング２２及びシールド部材２４から、全体として平板形状を有するように形成されている。但し、カードトレイ３０に搭載されたカード８０を電子機器１０の電子回路（図示せず）に電気的に接続できる限り、コネクタ２０の構造は、特に限定されない。また、コネクタ２０は、電子機器１０から取り外し可能であってもよく、電子機器１０と一体に形成されていてもよい。即ち、コネクタ２０は、電子機器１０と別体の装置であってもよく、電子機器１０の一部であってもよい。
【手続補正２】
【補正対象書類名】明細書
【補正対象項目名】００５１
【補正方法】変更
【補正の内容】
【００５１】
図６及び図１４を参照すると、本実施の形態によれば、可動部５０及び排出制御機構６０の様々な部材は、いずれも金属性であり良好な導電体である。可動部５０が初期位置及び後方限界位置のいずれにあるときにも、可動部５０及び排出制御機構６０の様々な部材は、互いに電気的に接続されている。詳しくは、可動部５０が初期位置及び後方限界位置のいずれにあるときにも、バネ部６８の夫々の接続端６８２は、第１端子６２に接続されており、バネ部６８の夫々の排出端６８４は、可動部５０と接触している。可動部５０は、被ロック部５８８及びロック部７２８を介して、シェル７０と接触している。また、図９を参照すると、シェル７０の上板７２は、第２端子６４の接続部６４８に接続されている。即ち、シェル７０は、第２端子６４と接触している。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
基板と、
前記基板の上に配置される第１電極部と、
前記第１電極部と電気的に分離されて前記基板に配置される第２電極部と、
前記第１電極部の上に配置される発光素子と、
前記第１電極部と前記第２電極部との間に配置される絶縁性反射層と、
前記絶縁性反射層の上に配置される光学レンズと、
を含み、
前記絶縁性反射層の上面は、複数個の頂点を含む多角形形状に配置され、
前記絶縁性反射層の頂点は、前記基板の中心からの距離が第１範囲以内である少なくとも１つ以上の第１地点を含み、
前記光学レンズに外接する接線と前記基板の上面がなす角度が６０°〜９０°であり、
前記第１地点は、前記接線と前記光学レンズとの外接点及び前記接線と前記基板が会う点を連結する線分と上下に重なり、
前記光学レンズは、レンズ部及び曲率部を含み、
前記曲率部とレンズ部の曲率方向は相互異なり、
前記絶縁性反射層の頂点は、前記第１地点及び前記絶縁性反射層の中心からの距離が前記第１範囲より小さい第２地点を含む、半導体素子パッケージ。
【請求項２】
前記第２電極部は、前記第２電極部の外側面から前記発光素子方向に突出した第１突出部と第２突出部を含む、請求項１に記載の半導体素子パッケージ。
【請求項３】
前記第１突出部または前記第２突出部の上下幅は一定であり、前記発光素子が配置される前記第１電極部の第１領域と前記第２電極部の第１突出部または前記第２電極部の第２突出部までの垂直距離である第１距離は、前記第１電極部の第１領域の第１軸方向の幅の１／１０〜３／１０の範囲である請求項２に記載の半導体素子パッケージ。
【請求項４】
前記第１電極部は、
前記第１電極部の下側角領域に位置する第３領域と、
前記第１電極部の上側角領域に位置する第４領域と、
前記第３、第４領域と前記第１電極部の第１領域との間に配置される第５領域と、を含む、請求項２に記載の半導体素子パッケージ。
【請求項５】
前記第２電極部は、前記第１電極部の第２領域と前記第１電極部の上側角領域に配置される第１連結部を含み、
前記第１連結部の上下幅は、前記第１電極部の第２領域の上下幅より小さい、請求項４に記載の半導体素子パッケージ。
【請求項６】
前記第２電極部は、前記第２電極部の下側角領域に位置する第４突出部と前記第２電極部の上側角領域に位置する第５突出部を含み、
前記第４突出部は、前記第１電極部の第３領域に対応し、
前記第５突出部は、前記第１電極部の第４領域に対応する、請求項５に記載の半導体素子パッケージ。
【請求項７】
前記絶縁性反射層は、前記第１電極部及び前記第２電極部と垂直に重ならない、請求項１〜６のいずれか一項に記載の半導体素子パッケージ。
【請求項８】
前記第１電極部の第２領域の第１軸方向の幅は、前記第１電極部の第１領域の第１軸方向の幅の１／５〜２／５である、請求項５に記載の半導体素子パッケージ。
【請求項９】
前記発光素子の側面周りに配置された樹脂反射層をさらに含む、請求項１〜８のいずれか一項に記載の半導体素子パッケージ。
【請求項１０】
基板と、
前記基板の上に配置される第１電極部と、
前記第１電極部と離隔して前記基板の上に配置される第２電極部と、
前記第１電極部と前記第２電極部との間に配置される絶縁性反射層と、
を含み、
前記第１電極部は、
前記第１電極部の第１軸方向の外縁に配置され、前記第１軸と垂直方向である第２軸方向に延長される第１電極延長部と、
前記第１電極延長部と第１軸と反対方向である第３軸方向に離隔し、発光素子が配置される第１領域と、
前記第１電極延長部と第１軸方向に離隔し、前記第１領域と前記第１軸方向と垂直方向である第２軸方向に離隔し、保護素子が配置される第２領域と、
前記第１領域と前記第１電極延長部との間に配置され、前記第１領域と前記第１電極延長部を電気的に連結する第１連結部と、
前記第２領域と前記第１電極延長部との間に配置され、前記第２領域と前記第１電極延長部を電気的に連結する第２連結部と、
前記第１電極延長部は、前記第１連結部と前記第２連結部との間で前記第２軸方向と平行に配置される第１垂直部と、
前記第１垂直部と前記第２連結部との間に配置され、第１軸方向の幅が前記第２軸方向に向かうほど増加する第１斜線部と、
前記第２領域と前記第２軸方向に離隔し、前記第１電極部の前記第２軸方向の外縁に配置され、前記第１斜線部と連結され、第１軸方向に突出配置される第１突出部と、
前記第１領域と前記第２軸方向と反対方向である第４軸方向の外縁に配置される第２突出部と、
前記第２突出部と前記第１電極延長部の垂直部との間に配置され、第１軸方向の幅が前記第４軸方向に向かうほど増加する第２斜線部と、
を含み、
前記第２斜線部は、前記第２突出部と連結されるように配置され、
前記第２電極部は、
前記第２電極部の前記第３軸方向の外縁に配置され、前記第２軸方向に延長される第２電極延長部と、
第１軸方向に前記第１領域と重なる領域を含むように配置され、前記第２電極延長部と連結される第１ボンディング部と、
前記第１ボンディング部と前記第２軸方向に離隔して配置され、前記第１軸方向に前記第１領域と重なる領域を含むように配置され、前記第２電極延長部と連結される第２ボンディング部と、
第１軸方向に前記第２領域と重なる領域を含むように配置され、前記第２電極延長部と連結される第３ボンディング部と、
前記第２軸方向に前記第３ボンディング部と離隔して配置され、前記第１軸方向に延長され、前記第２電極延長部と連結される第３突出部と、
前記第４軸方向に前記第２ボンディング部と離隔して配置され、前記第１軸方向に延長され、前記第２電極延長部と連結される第４突出部と、
前記第２電極延長部は、前記第１ボンディング部と前記第２ボンディング部との間で前記第２軸方向と平行に配置される第２垂直部と、
前記第２電極延長部は、前記第３突出部と前記第２垂直部との間に配置され、前記第１軸方向の幅が前記第２軸方向に向かうほど増加する第３斜線部と、
前記第４突出部と前記第２垂直部との間に配置され、前記第１軸方向の幅が前記第４軸方向に向かうほど増加する第４斜線部と、を含む、半導体素子パッケージ。
【誤訳訂正書】
【提出日】令和3年3月5日(2021.3.5)
【誤訳訂正１】
【訂正対象書類名】特許請求の範囲
【訂正対象項目名】全文
【訂正方法】変更
【訂正の内容】
【特許請求の範囲】
【請求項１】
官能化エラストマーの製造法であって、該方法は、
第一のモノマーと第二のモノマーの共重合によりコポリマーＹを形成させる工程、ここで、前記第一のモノマーは、１，３−ブタジエン、イソプレン、及びスチレンからなる群から選ばれ；前記第二のモノマーは、式１又は２：
【化１】
2018048303.tif 000001
［式中、Ｂはホウ素であり；Ｏは酸素であり；Ｒ１及びＲ２は、独立に、１〜１０個の炭素原子を含有する直鎖又は分枝アルキル基であり；Ｒ３は、水素又は１〜１０個の炭素原子を含有する直鎖又は分枝アルキル基であり；そしてＲ４は、１〜２０個の炭素原子を含有する直鎖又は分枝アルカンジイル基であるか、又は橋かけ芳香族基である］からなる群から選ばれる工程と；そして
前記コポリマーＹを化合物Ｚと反応させて官能化エラストマーを形成させる工程、ここで、Ｚは、式３：
【化２】
2018048303.tif 000002
［式中、Ｒ５は、フェニレン、１〜１０個の炭素原子を含有する直鎖又は分枝アルカンジイル基、又は一つもしくは複数のフェニレン基と１〜１０個の炭素原子を含有する一つもしくは複数の直鎖又は分枝アルカンジイル基との組合せであり；そしてＱは、水素であるか、臭素であるか、又は、窒素、酸素、リン、ケイ素及び硫黄からなる群から選ばれる少なくとも１個のヘテロ原子を含む官能基である］の化合物である工程と
を含むことを特徴とする方法。
【請求項２】
第一のモノマーがイソプレン又は１，３−ブタジエンであることを特徴とする、請求項１に記載の方法。
【請求項３】
第二のモノマーが、構造：
【化３】
2018048303.tif 000003
を有することを特徴とする、請求項１に記載の方法。
【請求項４】
共重合がニッケル配位触媒の存在下で実施される、請求項１に記載の方法。
【請求項５】
触媒が、（アリル）（アレーン）Ｎｉ（II）化合物であることを特徴とする、請求項４に記載の方法。
【請求項６】
触媒が、式１０：
【化４】
2018048303.tif 000004
［式中、ＢＡｒＦ４−は、テトラキス（３，５−ビス（トリフルオロメチル）フェニル）ボレートである］のものであることを特徴とする、請求項５に記載の方法。
【請求項７】
Ｑが、ヒドロキシル、カルボキシル、カルボキシレート、アルコキシ、カルボキサミド、第一級アミノ、第二級アミノ、アンモニオ、イミノ、イミド、アジド、アゾ、シアナト、イソシアナト、ニトロキシ、シアノ、イソシアノ、ニトロソオキシ、ニトロ、ニトロソ、オキシム、ピリジニル、ビピリジニル、ターピリジニル、スルファニル、チオ、スルフィド、ジスルフィド、スルホキシド、スルホン、スルフィン酸、スルホン酸、チオシアネート、イソチオシアネート、チオン、チアール、ホスファン、ホスホン酸、ホスフェート、ホスホジエステル、シリル、アルキルシリル、アルコキシシリル、シロキシ、及びハロゲンからなる群から選ばれる少なくとも一つの官能基を含むことを特徴とする、請求項１に記載の方法。
【請求項８】
Ｑが、式４：
【化５】
2018048303.tif 000005
［式中、Ｎは窒素であり、Ｒ６及びＲ７は、独立に、水素、フェニル、又は１〜１０個の炭素原子を含有する直鎖もしくは分枝アルキル基であるか、又はＲ６及びＲ７は、窒素原子と一緒になって、４〜１２個の炭素原子を含有する窒素含有ヘテロサイクリック基を表す］の官能基であることを特徴とする、請求項１に記載の方法。
【請求項９】
窒素含有ヘテロサイクリック基が、
【化６】
2018048303.tif 000006
［式中、Ｒ’基は、同じでも又は異なっていてもよく、１〜約１０個の炭素原子を含有する直鎖又は分枝アルキル基、アリール基、アリル基、及びアルコキシ基からなる群から選ばれる基を表し、Ｙ’は、酸素、硫黄、又はメチレン基を表し、そしてｎは４〜１２の整数である］から選ばれることを特徴とする、請求項８に記載の方法。
【請求項１０】
Ｑが、式５又は６：
【化７】
2018048303.tif 000007
［式中、Ｐはリンであり、Ｏは酸素であり、Ｒ８、Ｒ９は、独立に、Ｃ１〜Ｃ８直鎖又は分枝アルキルであり、Ｘはハロゲンである］の官能基であることを特徴とする、請求項１に記載の方法。
【請求項１１】
Ｑが臭素であり、方法がさらに、官能化エラストマーを求核試薬と反応させて第二の官能化エラストマーを製造する工程を含むことを特徴とする、請求項１に記載の方法。
【請求項１２】
求核試薬がピロリジン又はＮＨ３であることを特徴とする、請求項１１に記載の方法。
【請求項１３】
Ｒ４が、下記構造：
【化８−１】
2018048303.tif 000008
【化８−２】
2018048303.tif 000009
から選ばれる橋かけ芳香族基であることを特徴とする、請求項１に記載の方法。
【誤訳訂正２】
【訂正対象書類名】明細書
【訂正対象項目名】００３５
【訂正方法】変更
【訂正の内容】
【００３５】
【化１１】
2018048303.tif 000010
【誤訳訂正３】
【訂正対象書類名】明細書
【訂正対象項目名】００９６
【訂正方法】変更
【訂正の内容】
【００９６】
【化２５】
2018048303.tif 000011
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
複数のアナログ信号のそれぞれを受信し、複数のデジタル信号のそれぞれを出力する複数のアナログ・デジタル変換器（ＡＤＣ）と、
係数信号を出力する係数発生回路と、
複数のデシメーションフィルタと、を備え、
前記複数のデシメーションフィルタのそれぞれは、前記複数のデジタル信号のそれぞれ一つを受信する第１の入力及び前記係数信号を受信する第２の入力を含み、
前記複数のデシメーションフィルタのそれぞれは、乗算器及び単一の累算器を有する有限インパルス応答（ＦＩＲ）回路を含む、
回路。
【請求項２】
前記乗算器は、前記デシメーションフィルタの前記第１の入力及び前記第２の入力を受信する入力を有する組み合わせ論理を含み、
前記単一の累算器は、
前記組み合わせ論理の出力に結合された第１の入力及び第２の入力を有するアダーと、
前記アダーの出力に結合される入力及び前記アダーの前記第２の入力に結合される出力を有する記憶回路と、を含む
請求項１に記載の回路。
【請求項３】
前記複数のデジタル信号のそれぞれは、１ビットの幅を有し、
前記係数信号は、Ｑビットの幅を有し、
Ｑは１より大きい整数である、
請求項２に記載の回路。
【請求項４】
前記組み合わせ論理は、２入力の論理ゲートのＱユニットのアレイ、前記デジタル信号を受信するように構成された前記論理ゲートのそれぞれの第１の入力及び前記係数信号の前記Ｑビットのそれぞれ１つを受信するように構成された前記論理ゲートそれぞれの第２の入力を含む、
請求項３に記載の回路。
【請求項５】
前記係数発生回路は、複数の係数を記憶するルックアップテーブル（ＬＵＴ）を含み、
前記係数信号は、前記複数の係数の繰返しシーケンスを含む、
請求項１に記載の回路。
【請求項６】
前記複数のＡＤＣのそれぞれは、Ｎのオーバーサンプリング比（ＯＳＲ）を有し、
Ｎは、１より大きい整数であり、
前記複数の係数は、Ｎ個の係数である、
請求項５に記載の回路。
【請求項７】
前記係数発生回路は、
Ｌは１より大きい整数であり、Ｌ個の値のシーケンスを記憶するルックアップテーブル（ＬＵＴ）と、
ＭはＬより大きい整数であり、前記ＬＵＴの出力に結合された１：Ｍアップサンプリングホルダ回路と、
前記１：Ｍアップサンプリングホルダ回路の出力に結合された累算器と、を備える、
請求項１に記載の回路。
【請求項８】
前記係数発生回路は、さらに、前記累算器の出力に結合された少なくとも一つの正規化器を備える、
請求項７に記載の回路。
【請求項９】
前記複数のＡＤＣのそれぞれはＮのオーバーサンプリング比（ＯＳＲ）を有し、
Ｎは１より大きい整数であり、
Ｎは、前記ＬとＭとの積である、
請求項７に記載の回路。
【請求項１０】
複数のアナログ信号を出力するように構成された複数の受信機と、
前記複数のアナログ信号を受信し、複数のデジタル信号を出力するように構成された複数のアナログ・デジタル変換器（ＡＤＣ）と、
係数信号を出力するように構成された係数発生回路と、
複数のデシメーションフィルタと、
前記複数のデシメーションフィルタの出力を処理するように構成されたデジタル信号プロセッサと、
を備え、
前記複数のデシメーションフィルタのそれぞれは、前記複数のデジタル信号のそれぞれ一つを受信する第１の入力及び前記係数信号を受信する第２の入力を含み、
前記複数のデシメーションフィルタのそれぞれは、乗算器及び単一の累算器を有する有限インパルス応答（ＦＩＲ）回路を含む、
処理システム。
【請求項１１】
前記乗算器は、前記デシメーションフィルタの前記第１の入力及び前記第２の入力を受信する入力を有する組み合わせ論理を含み、
前記単一の累算器は、
前記組み合わせ論理の出力に結合された第１の入力及び第２の入力を有するアダーと、
前記アダーの出力に結合される入力及び前記アダーの前記第２の入力に結合される出力を有する記憶回路と、を含む
請求項１０に記載の処理システム。
【請求項１２】
前記係数発生回路は、複数の係数を記憶するルックアップテーブル（ＬＵＴ）を含み、
前記係数信号は、前記複数の係数の繰返しシーケンスを含む、
請求項１０に記載の処理システム。
【請求項１３】
前記係数発生回路は、
Ｌは１より大きい整数であり、Ｌ個の値のシーケンスを記憶するルックアップテーブル（ＬＵＴ）と、
ＭはＬより大きい整数であり、前記ＬＵＴの出力に結合された１：Ｍアップサンプリングホルダ回路と、
前記１：Ｍアップサンプリングホルダ回路の出力に結合された累算器と、を備える、
請求項１０に記載の処理システム。
【請求項１４】
前記複数の受信機は、入力デバイスの複数のセンサ電極に結合され、
前記複数の受信機のそれぞれは、前記複数のセンサ電極のそれぞれ１つに対する電荷又は電流を測定するように構成された、
請求項１０に記載の処理システム。
【請求項１５】
前記デジタル信号プロセッサは、前記複数のデシメーションフィルタの前記出力に基づいて、前記入力デバイスの感知領域内の容量における変化を決定するように構成される、
請求項１４に記載の処理システム。
【請求項１６】
複数のアナログ信号を処理する方法であって、
前記複数のアナログ信号を、複数のアナログ・デジタル変換器（ＡＤＣ）を用いて、複数のデジタル信号に変換するステップ、
係数のシーケンスを生成するステップと、
前記係数のシーケンスの各係数により、前記複数のデジタル信号のそれぞれのデジタル信号の値を逐次的に乗算することにより、前記複数のデジタル信号のそれぞれのデジタル信号をフィルタリングするステップと、
乗算器及び単一の累算器を有する有限インパルス応答（ＦＩＲ）フィルタにおいて、前記乗算の積を累算するステップと、を備える
方法。
【請求項１７】
前記デジタル信号に前記係数のシーケンスを逐次的に乗算する前記ステップは、前記デジタル信号の前記値及び前記係数のシーケンスを組み合わせ論理の入力に適用するステップを備える
請求項１６に記載の方法。
【請求項１８】
前記変換するステップは、Ｎのオーバーサンプリング比（ＯＳＲ）を用いて、前記複数のアナログ信号をオーバーサンプリングするステップを備え、
Ｎは１より大きい整数であり、
前記係数のシーケンスは、Ｎ個の係数を含む
請求項１６に記載の方法。
【請求項１９】
前記生成するステップは、ルックアップテーブル（ＬＵＴ）から前記Ｎ個の係数を取得するステップを備える
請求項１８に記載の方法。
【請求項２０】
前記生成するステップは、
Ｌは１より大きい整数であって、ルックアップテーブル（ＬＵＴ）からＬ個の値のシーケンスを取得するステップと、
ＭはＬより大きい整数であって、前記Ｌ個の値のシーケンスをアップサンプリングし、保持し、Ｍ個の値のシーケンスを生成するステップと、
前記Ｍ個の値のシーケンスを積分し、前記係数のシーケンスを生成するステップと、
を備える
請求項１８に記載の方法。
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
１つ又は複数の空隙を含むインダクタの設計パラメータ又は動作パラメータのうちの少なくとも１つに基づいて可変透磁率特性を有する磁性材料から成る磁気コアと、
電流によって励起されるように構成された、前記１つ又は複数の空隙を通して巻回されるコイルと、
を有するインダクタ。
【請求項２】
前記インダクタは、平面型インダクタである、請求項１に記載のインダクタ。
【請求項３】
前記設計パラメータは、前記磁気コアの寸法、前記磁気コアの形状、前記磁気コアの上の前記１つ又は複数の空隙の位置、前記１つ又は複数の空隙のサイズ、又は前記磁気コアの材料特性のうちの少なくとも１つを含む、請求項１に記載のインダクタ。
【請求項４】
前記動作パラメータは、前記インダクタのインダクタンス、直流（ＤＣ）バイアス、磁束密度特性、又はコア損失特性のうちの少なくとも１つを含む、請求項１に記載のインダクタ。
【請求項５】
前記磁気コアの前記可変透磁率特性は、所定値の磁束密度における透磁率が所定の閾値を上回る透磁率非線形の値に対応している、請求項１に記載のインダクタ。
【請求項６】
前記磁気コアの前記可変透磁率特性は、所定の閾値未満である前記磁気コアの磁束密度飽和エリアに対応している、請求項１に記載のインダクタ。
【請求項７】
前記磁気コアの前記可変透磁率特性は、所定の閾値未満である前記磁気コア内のコア損失密度に対応している、請求項１に記載のインダクタ。
【請求項８】
前記磁気コア内の前記１つ又は複数の空隙の形状は、前記磁気コアに横切る所定の磁束密度パターンに対応している、請求項１に記載のインダクタ。
【請求項９】
前記１つ又は複数の空隙の前記形状は、楕円形状である、請求項８に記載のインダクタ。
【請求項１０】
前記磁気コアは、３Ｄ印刷を介して、磁性フィラー材料を有するバインダマトリックスを使用して製造された単一構造である、請求項１に記載のインダクタ。
【請求項１１】
前記磁気コアは、前記磁気コアの全体を通して複数の密度を有する不均質なフェライト材料から成る、請求項１に記載のインダクタ。
【請求項１２】
前記磁気コアの全体を通じた前記複数の密度のそれぞれは、前記磁気コアの全体を通じた１つ又は複数の場所における空気に対する前記フェライト材料の比率に対応しており、前記空気に対する前記フェライト材料の前記比率は、前記可変透磁率特性に基づいている、請求項１１に記載にインダクタ。
【請求項１３】
前記磁気コアは、複数のスリットを有する均質なフェライト材料から構成されており、前記複数のスリットは、前記可変透磁率特性に基づいて、前記磁気コアの全体を通して所定の場所及び向きにおいて構成されている、請求項１に記載のインダクタ。
【請求項１４】
前記磁気コアは、
前記磁気コア内の１つ又は複数の第１場所における第１密度を有する第１フェライト材料と、
前記磁気コア内の１つ又は複数の第２場所における第２密度を有する第２フェライト材料と、
を有する不均質なフェライト材料から構成されており、
前記第１密度及び前記第２密度は、空気に対する前記フェライト材料の比率に基づいている、請求項１に記載のインダクタ。
【請求項１５】
前記第１フェライト材料の前記第１密度は、前記第２フェライト材料の前記第２密度を上回っている、請求項１４に記載のインダクタ。
【請求項１６】
前記磁気コアは、前記可変透磁率特性に基づいて前記磁気コアの全体を通して所定の場所及び向きにおいて構成された複数のスロットを含む、請求項１４に記載のインダクタ。
【請求項１７】
前記第１フェライト材料の前記１つ又は複数の第１場所及び前記第２フェライト材料の前記１つ又は複数の第２場所は、前記可変透磁率特性に基づいている、請求項１４に記載のインダクタ。
【請求項１８】
前記インダクタの前記設計パラメータ又は前記動作パラメータのうちの少なくとも１つに基づいて可変透磁率特性を有する磁性材料から成る複数の積層型の磁気コアを更に有する、請求項１に記載のインダクタ。
【請求項１９】
磁気コアの寸法、前記磁気コアの形状、前記磁気コアの上の１つ又は複数の空隙の位置、前記１つ又は複数の空隙のサイズ、又は前記磁気コアの材料特性のうちの少なくとも１つを含むインダクタの設計パラメータを決定するステップと、
インダクタンス、ＤＣバイアス、磁束密度特性、又はコア損失特性のうちの少なくとも１つを含む前記インダクタの動作パラメータを決定するステップと、
１つ又は複数の空隙を含む前記インダクタの前記設計パラメータ又は前記動作パラメータのうちの少なくとも１つに基づいて可変透磁率特性を有する磁性材料から成る磁気コアを提供するステップと、
を有する方法。
【請求項２０】
１つ又は複数の空隙を含むインダクタの設計パラメータ又は動作パラメータのうちの少なくとも１つに基づいて可変透磁率特性を有する磁性材料を有しており、
前記１つ又は複数の空隙は、電流によって励起されるように構成された、前記１つ又は複数の空隙を通して巻回されるコイルを受け入れるように構成されている、インダクタ用の磁気コア。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
複数の発光素子が配置されたラインヘッドの各発光素子に対応する光量情報に対応するマスクパターンを保持する保持手段と、
前記保持手段で保持する前記マスクパターンを用いて、ハーフトーン画像データに対してマスク処理を実行するマスク手段と、
を有することを特徴とする画像形成装置。
【請求項２】
複数の発光素子が配置されたラインヘッドの各発光素子に対応する光量情報に対応するマスクパターンを保持する保持手段と、
画像データに対してハーフトーン処理を行うことでハーフトーン画像データを得るハーフトーン処理手段と、
前記ラインヘッドにおいて発生する熱による各発光素子の位置変化を吸収するための位置補正を前記ハーフトーン画像データに対してかける手段と、
前記位置補正がかけられたハーフトーン画像データに対して、前記マスクパターンでマスク処理を実行するマスク手段と、
を有することを特徴とする画像形成装置。
【請求項３】
さらに、前記マスクパターンを生成する生成手段を有し、
前記生成手段は、目標光量よりも発光素子の光量情報が大きい場合に、前記光量情報を前記目標光量に近づけるための光量ダウン率を求め、
前記光量ダウン率に対応するマスク率を記憶するテーブルを参照してマスク率を求め、前記マスク率とマスクパターン生成用の閾値マトリクスとを用いて前記マスクパターンを生成することを特徴とする請求項１又は２に記載の画像形成装置。
【請求項４】
前記生成手段は、前記閾値マトリクスを適用する主走査位置を、前記閾値マトリクスの副走査方向の幅ごとに主走査方向にシフトさせて前記マスクパターンを生成することを特徴とする請求項３に記載の画像形成装置。
【請求項５】
前記閾値マトリクスの副走査方向の幅と、前記シフトの量とは互いに素の関係にあることを特徴とする請求項４に記載の画像形成装置。
【請求項６】
前記マスク手段は、前記各発光素子に対応する主走査位置で、前記閾値マトリクスの副走査方向の幅に対応する画素のうち、前記光量ダウン率に対応する画素を間引くマスク処理を実行することを特徴とする請求項３乃至５のいずれか１項に記載の画像形成装置。
【請求項７】
前記マスク手段は、前記ラインヘッドの発光素子の配列に対応する解像度よりも高い解像度で前記マスク処理を実行し、
前記マスク処理がなされた画像データを、前記ラインヘッドの発光素子の配列に対応する解像度に戻す解像度変換処理を、更に有することを特徴とする請求項１乃至６のいずれか１項に記載の画像形成装置。
【請求項８】
前記マスクパターン及び前記閾値マトリクスは、ブルーノイズ特性を有するパターンであることを特徴とする請求項３乃至６のいずれか１項に記載の画像形成装置。
【請求項９】
複数の発光素子が配置されたラインヘッドを使用して画像を形成する画像形成装置の制御方法であって、
前記ラインヘッドの各発光素子に対応する光量情報に対応するマスクパターンを保持する保持工程と、
前記保持工程で保持する前記マスクパターンを用いて、ハーフトーン画像データに対してマスク処理を実行するマスク工程と、
を有することを特徴とする制御方法。
【請求項１０】
複数の発光素子が配置されたラインヘッドを使用して画像を形成する画像形成装置の制御方法であって、
前記ラインヘッドの各発光素子に対応する光量情報に対応するマスクパターンを保持する保持工程と、
画像データに対してハーフトーン処理を行うことでハーフトーン画像データを得るハーフトーン処理工程と、
前記ラインヘッドにおいて発生する熱による各発光素子の位置変化を吸収するための位置補正を前記ハーフトーン画像データに対してかける工程と、
前記位置補正がかけられたハーフトーン画像データに対して、前記マスクパターンでマスク処理を実行するマスク工程と、
を有することを特徴とする制御方法。
【請求項１１】
コンピュータに、請求項９又は１０に記載の制御方法の各工程のすべてを実行させるためのプログラム。
【手続補正２】
【補正対象書類名】明細書
【補正対象項目名】０００３
【補正方法】変更
【補正の内容】
【０００３】
カラー画像を印刷するタンデム方式の画像形成装置では、上述した複数のユニットで構成される像形成ユニットを、中間転写ベルトに対して、複数個（例えば、４色に対応して４個）配置する。そして、４つの単色トナー像形成ユニットにより形成されたトナー像を順次中間転写ベルトに転写し、中間転写ベルト上で複数色（例えば、イエロー（Ｙ）、マゼンタ（Ｍ）、シアン（Ｃ）、黒（Ｋ））のトナー像を重ね合わせてカラー画像を得る中間転写ベルト形式のものがある。
【手続補正３】
【補正対象書類名】明細書
【補正対象項目名】００１２
【補正方法】変更
【補正の内容】
【００１２】
上記目的を達成するために本発明の一態様に係る画像形成装置は以下のような構成を備える。即ち、
複数の発光素子が配置されたラインヘッドの各発光素子に対応する光量情報に対応するマスクパターンを保持する保持手段と、
前記保持手段で保持する前記マスクパターンを用いて、ハーフトーン画像データに対してマスク処理を実行するマスク手段と、を有することを特徴とする。
【手続補正４】
【補正対象書類名】明細書
【補正対象項目名】００３８
【補正方法】変更
【補正の内容】
【００３８】
レンズアレイ４１は、結像レンズとしてＬＥＤチップ４２と感光体２２の間に配置されている。レンズアレイ４１では、ＬＥＤ屈折率分布型のロッドレンズが、例えば、解像度に応じた各画素に対応したピッチで配列されており、各ＬＥＤ発光素子４３から出射された光ビームを感光体２２に結像させる。このように、ＬＥＤラインヘッド２４では、主走査方向に並べられた多数の発光素子４３を有し、各主走査位置の発光素子ごとに光量の個体バラツキが発生する構成となっている。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
画像処理装置、または画像処理装置以外の外部装置に保存されている文書データを、前記文書データに予め設定されている第一の設定値に基づいて出力処理を実行する機能を少なくとも有する画像処理装置であって、
前記第一の設定値を第二の設定値に変更して前記文書データの出力指示を行うと、少なくとも前記文書データに関する情報、および前記第二の設定値に関する情報とを第一のジョブ履歴として管理する管理手段と、
前記管理手段によって管理された前記第一のジョブ履歴に基づいた出力処理を実行するように指示する指示受付手段と、
前記指示受付手段によって前記出力処理を実行するように指示されると、前記第二の設定値を用いて前記出力処理がなされることをユーザに通知する通知手段と、
を有する
ことを特徴とする画像処理装置。
【請求項２】
前記画像処理装置は、
前記画像処理装置が有する複数の機能それぞれに対して実行指示をするための第一のソフトキーを含むメニュー領域を表示する表示制御手段をさらに有し、
前記表示制御手段は、
前記メニュー領域とともに、前記管理手段によって管理されたジョブ履歴に基づいた出力処理を実行指示するための第二のソフトキーであって前記第二のソフトキーを表示するためのタイムライン領域を表示する
ことを特徴とする請求項１に記載の画像処理装置。
【請求項３】
前記管理手段は、
前記画像処理装置が有する第一の機能を用いて実行指示されたジョブのジョブ履歴と、
前記画像処理装置が有する第二の機能を用いて実行指示されたジョブのジョブ履歴と、
を管理し、
前記タイムライン領域は、
前記管理手段によって管理された複数のジョブ履歴それぞれに基づいてジョブを再実行指示するための第三のソフトキーであって、前記複数のジョブ履歴それぞれに対応した前記第三のソフトキーを表示可能である
ことを特徴とする請求項２に記載の画像処理装置。
【請求項４】
所定の操作によって、前記タイムライン領域に表示されているソフトキーに対応するソフトキーを前記メニュー領域に表示する
ことを特徴とする請求項２または３に記載の画像処理装置。
【請求項５】
前記管理手段は、
少なくとも前記文書データに関する情報、および前記第一の設定値に関する情報を含む第二のジョブ履歴をさらに管理し、
前記通知手段は、
前記第二のジョブ履歴に基づいた出力処理を実行するように指示されても、前記第一の設定値を用いて前記出力処理がなされることをユーザに通知しない
ことを特徴とする１乃至４のいずれか一項に記載の画像処理装置。
【請求項６】
前記文書データはＰＤＦデータである
ことを特徴とする請求項１乃至５のいずれか一項に記載の画像処理装置。
【請求項７】
画像処理装置、または画像処理装置以外の外部装置に保存されている文書データを、前記文書データに予め設定されている第一の設定値に基づいて出力処理を実行する機能を少なくとも有する画像処理装置の制御方法であって、
前記第一の設定値を第二の設定値に変更して前記文書データの出力指示を行うと、少なくとも前記文書データに関する情報、および前記第二の設定値に関する情報とを第一のジョブ履歴として管理する管理ステップと、
前記管理ステップによって管理された前記第一のジョブ履歴に基づいた出力処理を実行するように指示する指示受付ステップと、
前記指示受付ステップによって前記出力処理を実行するように指示されると、前記第二の設定値を用いて前記出力処理がなされることをユーザに通知する通知ステップと、
を有する
ことを特徴とする画像処理装置の制御方法。
【請求項８】
コンピュータを、
画像処理装置、または画像処理装置以外の外部装置に保存されている文書データを、前記文書データに予め設定されている第一の設定値に基づいて出力処理を実行する機能を少なくとも有する画像処理装置として機能させるためのプログラムであって、
前記第一の設定値を第二の設定値に変更して前記文書データの出力指示を行うと、少なくとも前記文書データに関する情報、および前記第二の設定値に関する情報とを第一のジョブ履歴として管理する管理手段と、
前記管理手段によって管理された前記第一のジョブ履歴に基づいた出力処理を実行するように指示する指示受付手段と、
前記指示受付手段によって前記出力処理を実行するように指示されると、前記第二の設定値を用いて前記出力処理がなされることをユーザに通知する通知手段と、
を有する
ことを特徴とする画像処理装置として機能させるためのプログラム。
【手続補正２】
【補正対象書類名】明細書
【補正対象項目名】０００６
【補正方法】変更
【補正の内容】
【０００６】
上記の課題を解決するために、本発明の画像処理装置は、画像処理装置、または画像処理装置以外の外部装置に保存されている文書データを、前記文書データに予め設定されている第一の設定値に基づいて出力処理を実行する機能を少なくとも有する画像処理装置であって、前記第一の設定値を第二の設定値に変更して前記文書データの出力指示を行うと、少なくとも前記文書データに関する情報、および前記第二の設定値に関する情報とを第一のジョブ履歴として管理する管理手段と、前記管理手段によって管理された前記第一のジョブ履歴に基づいた出力処理を実行するように指示する指示受付手段と、前記指示受付手段によって前記出力処理を実行するように指示されると、前記第二の設定値を用いて前記出力処理がなされることをユーザに通知する通知手段と、を有することを特徴とする。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
第１ユーザが所持する複数の仮想オブジェクトを管理する管理部と、
前記管理部の管理する複数の仮想オブジェクトの中から前記第１ユーザによって選択された複数の仮想オブジェクトにより構築されるオブジェクト群を用いたゲームを進行する進行部と、
第２ユーザの操作によって構築されたオブジェクト群に関する複数の群情報を取得する取得部と、
前記取得部により取得された前記複数の群情報にそれぞれ対応する画像を一覧画像として表示させ、前記一覧画像を構成する前記複数の群情報のそれぞれについて、群情報を構成するオブジェクト群に含まれる仮想オブジェクトに対する、前記第１ユーザが所持する仮想オブジェクトの所持状況を示す所持情報を表示させる表示制御部と、
を備えることを特徴とする、
ゲームシステム。
【請求項２】
前記所持情報は、前記複数の群情報ごとの、前記複数の群情報に含まれるすべての仮想オブジェクトに対する前記第１ユーザが所持する仮想オブジェクトの割合である、請求項１に記載のゲームシステム。
【請求項３】
前記表示部は、前記所持情報をゲージで表示する、請求項１又は請求項２に記載のゲームシステム。
【請求項４】
前記表示部は、前記オブジェクト群を作成した前記第２ユーザのコメントを表示する、請求項１から３のいずれかに記載のゲームシステム。
【請求項５】
複数の仮想オブジェクトを管理し、
管理される複数の仮想オブジェクトの中から選択された複数の仮想オブジェクトにより構築されるオブジェクト群を用いたゲームを進行するゲームシステムにおける情報表示方法であって、
他のユーザの操作によって作成されたオブジェクト群を構築すべき仮想オブジェクト示す複数の群情報を取得し、
取得した前記複数の群情報にそれぞれ対応する画像を一覧画像として表示し、前記一覧画像を構成する前記複数の群情報のそれぞれについて、群情報を構成するオブジェクト群に含まれる仮想オブジェクトに関連してユーザが所持する仮想オブジェクトの所持情報を表示する
ことを特徴とする、
ゲームシステムの情報表示方法。
【請求項６】
ゲームシステムのサーバに備えたプロセッサを、
第１ユーザが所持する複数の仮想オブジェクトを管理する管理部と、
前記管理部の管理する複数の仮想オブジェクトの中から選択された複数の仮想オブジェクトにより構築されるオブジェクト群を用いたゲームを進行する進行部と、
第２ユーザの操作によって構築されたオブジェクト群に関する複数の群情報を取得する取得部と、
前記取得部により取得された前記複数の群情報にそれぞれ対応する画像を一覧画像として表示させ、前記一覧画像を構成する前記複数の群情報のそれぞれについて、群情報を構成するオブジェクト群に含まれる仮想オブジェクトに対する、前記第１ユーザが所持する仮想オブジェクトの所持状況を示す所持情報を表示させる表示制御部と、
して機能させる、
サーバのプログラム。
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
乱数抽選で当選した場合に遊技者に有利な特別遊技を実行可能に構成した
遊技機において、
少なくとも遊技実績に基づいて算出される所定情報を表示可能な表示手段を、遊技機本体の後側に備え、
前記乱数抽選で当選する確率に関する設定値を記憶し、
所定の開始条件を満たす場合に、前記設定値の設定が可能な設定可能期間を開始し、
所定の終了条件を満たす場合に、前記設定可能期間を終了すると共に設定した前記設定値を確定させるように構成し、
前記設定可能期間中は、前記表示手段に前記設定値に関する設定情報を表示可能とし、前記設定可能期間以外の所定期間中は、前記表示手段に複数種類の前記所定情報を所定時間毎に切り替えて表示可能とした
ことを特徴とする遊技機。
【手続補正２】
【補正対象書類名】明細書
【補正対象項目名】０００５
【補正方法】変更
【補正の内容】
【０００５】
本発明は、乱数抽選で当選した場合に遊技者に有利な特別遊技を実行可能に構成した遊技機において、少なくとも遊技実績に基づいて算出される所定情報を表示可能な表示手段を、遊技機本体の後側に備え、前記乱数抽選で当選する確率に関する設定値を記憶し、所定の開始条件を満たす場合に、前記設定値の設定が可能な設定可能期間を開始し、所定の終了条件を満たす場合に、前記設定可能期間を終了すると共に設定した前記設定値を確定させるように構成し、前記設定可能期間中は、前記表示手段に前記設定値に関する設定情報を表示可能とし、前記設定可能期間以外の所定期間中は、前記表示手段に複数種類の前記所定情報を所定時間毎に切り替えて表示可能としたものである。
【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
複数の識別情報を変動表示可能な可変表示部と、
所定の契機に基づいて当籤役を決定可能な役決定手段と、
前記可変表示部の変動表示を停止させるための停止操作を検出可能な停止操作検出手段と、
前記役決定手段により決定された当籤役と前記停止操作検出手段により検出された停止操作態様に応じて前記可変表示部の変動表示を停止可能な停止制御手段と、
を備え、
遊技を行う遊技状態として、遊技者にとって有利な情報を報知不能な通常区間と、遊技者にとって有利な情報を報知可能な有利区間と、を有し、
前記有利区間は、遊技者にとって有利な情報を報知することで遊技価値が増加する第１状態と、前記第１状態よりも不利な第２状態とを少なくとも含むものであり、
前記通常区間において移行条件を満たすと、前記通常区間から前記有利区間に移行させる状態制御手段と、
前記有利区間に関する数値を計数可能な計数手段と、
前記計数手段が計数する前記数値がリミット閾値に達すると、前記有利区間を継続可能な残り期間に関わらず前記有利区間を終了して、前記通常区間に移行させるリミット手段と、
を更に備え、
前記計数手段は、前記有利区間の終了時に計数している前記数値を初期化し、
前記状態制御手段は、前記通常区間において前記役決定手段による決定が特定の決定結果である場合、遊技状態を前記有利区間に移行することなく前記通常区間のまま維持し、
前記役決定手段により決定可能な当籤役には、遊技価値の付与に係る小役が含まれ、
前記状態制御手段は、前記通常区間、かつ、前記通常区間から前記有利区間に移行させる旨を決定可能な遊技状態では、当該遊技状態において当籤役として決定可能な前記複数の小役のうちの何れが当籤役として決定された場合であっても、必ず、前記通常区間から前記有利区間に遊技状態を移行し、
前記計数手段が計数する前記数値が前記リミット閾値に満たない所定閾値に達すると、所定状態に制御可能な所定状態制御手段を更に備え、
前記所定状態において、当該所定状態に特有な演出を実行可能である
ことを特徴とする遊技機。
【手続補正２】
【補正対象書類名】明細書
【補正対象項目名】０００５
【補正方法】変更
【補正の内容】
【０００５】
このようなＡＴ機能を有する遊技機として、例えば、特許文献１には、遊技者が有利となるような情報を報知可能な有利区間と、当該情報を報知しない非有利区間（通常区間）とを設け、有利区間が長期間にわたり継続した場合に（例えば、差枚数が２４００枚を超える場合に）、残りのゲーム数に関わらず強制的に有利区間を終了させるリミット処理を行う遊技機が開示されている。このような遊技機によれば、有利区間中に遊技者が得る利益を一定の範囲に収めることができるため、遊技の射幸性が徒に高まってしまうことを抑制することができる。
【手続補正３】
【補正対象書類名】明細書
【補正対象項目名】０００６
【補正方法】変更
【補正の内容】
【０００６】
【特許文献１】特開２０１７−１６９９６８号公報
【手続補正４】
【補正対象書類名】明細書
【補正対象項目名】０００７
【補正方法】変更
【補正の内容】
【０００７】
ところで、有利区間と通常区間とを有する遊技機では、有利区間中に報知を行わない（又は行う頻度が低い）期間と報知を行う期間とを設けることがある。なお、このような遊技機では、有利区間中の報知を行う期間が、メダルが増加する増加区間として機能し、遊技者にとって有利な状態となるものの、有利区間中の報知を行わない期間は、必ずしも遊技者にとって有利な状態とはならない。このように有利区間中に報知を行わない期間と報知を行う期間とを設けることで、有利区間中の遊技を多様化することができるものの、報知を行わない期間は有利区間中であることに変わりはないため、当該期間が長期間にわたり継続してしまうと、その後、報知を行う期間に移行できたとしても、上述のリミット処理に掛かってしまい、遊技者の損失感を高めてしまうという問題があった。
【手続補正５】
【補正対象書類名】明細書
【補正対象項目名】０００８
【補正方法】変更
【補正の内容】
【０００８】
本発明はこのような問題に鑑みてなされたものであり、射幸性を適切に抑制しつつも、遊技者の損失感を軽減可能な遊技機を提供することを目的とする。
【手続補正６】
【補正対象書類名】明細書
【補正対象項目名】０００９
【補正方法】変更
【補正の内容】
【０００９】
本発明に係る遊技機は、複数の識別情報を変動表示可能な可変表示部と、所定の契機に基づいて当籤役を決定可能な役決定手段と、前記可変表示部の変動表示を停止させるための停止操作を検出可能な停止操作検出手段と、前記役決定手段により決定された当籤役と前記停止操作検出手段により検出された停止操作態様に応じて前記可変表示部の変動表示を停止可能な停止制御手段と、を備え、遊技を行う遊技状態として、遊技者にとって有利な情報を報知不能な通常区間と、遊技者にとって有利な情報を報知可能な有利区間と、を有し、前記有利区間は、遊技者にとって有利な情報を報知することで遊技価値が増加する第１状態と、前記第１状態よりも不利な第２状態とを少なくとも含むものであり、前記通常区間において移行条件を満たすと、前記通常区間から前記有利区間に移行させる状態制御手段と、前記有利区間に関する数値を計数可能な計数手段と、前記計数手段が計数する前記数値がリミット閾値に達すると、前記有利区間を継続可能な残り期間に関わらず前記有利区間を終了して、前記通常区間に移行させるリミット手段と、を更に備え、前記計数手段は、前記有利区間の終了時に計数している前記数値を初期化し、前記状態制御手段は、前記通常区間において前記役決定手段による決定が特定の決定結果である場合、遊技状態を前記有利区間に移行することなく前記通常区間のまま維持し、前記役決定手段により決定可能な当籤役には、遊技価値の付与に係る小役が含まれ、前記状態制御手段は、前記通常区間、かつ、前記通常区間から前記有利区間に移行させる旨を決定可能な遊技状態では、当該遊技状態において当籤役として決定可能な前記複数の小役のうちの何れが当籤役として決定された場合であっても、必ず、前記通常区間から前記有利区間に遊技状態を移行し、前記計数手段が計数する前記数値が前記リミット閾値に満たない所定閾値に達すると、所定状態に制御可能な所定状態制御手段を更に備え、前記所定状態において、当該所定状態に特有な演出を実行可能であることを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明によれば、射幸性を適切に抑制しつつも、遊技者の損失感を軽減可能な遊技機を提供することができる。